(57)【要約】      （修正有）【課題】未使用時には分解できるため省スペース化・持ち運び性に優れ、使用の際には即座に組み立てて使用することができ、構成する部材ごと交換できるためデザイン性、オリジナル性が高いバッグを提供する。【解決手段】底部と、一対の側面部１２と、一対のまち部１３と持ち手部１４を有するバッグであって、側面部とまち部とが着脱可能に結合するように、側面部及びまち部に着脱可能な結合手段１５が設けられている。【選択図】図１
0003223035.tif 000002
【実用新案登録請求の範囲】
【請求項１】
底部と、一対の側面部と、一対のまち部と、一対の持ち手部を有するバッグであって、
当該側面部及び当該まち部に着脱可能な結合手段が設けられ、当該結合手段によって、当該側面部と当該まち部とが着脱可能に結合していることを特徴とするバッグ。
【請求項２】
さらに、前記底部および前記まち部とに着脱可能な結合手段が設けられ、当該結合手段によって、前記底部と前記まち部とが着脱可能に結合していることを特徴とする請求項１に記載のバッグ。
【請求項３】
さらに、前記持ち手部および前記側面部とに着脱可能な結合手段が設けられ、当該結合手段によって、前記持ち手部と前記側面部とが着脱可能に結合していることを特徴とする請求項１又は２に記載のバッグ。
【考案の詳細な説明】
【技術分野】
【０００１】
本考案は、展開・分解可能なバッグに関し、より具体的には、未使用時には分解・展開できるため省スペース化・持ち運び性に優れ、使用の際には即座に組み立てて使用することができ、構成する部材ごと交換できるためデザイン性、オリジナル性が高いバッグに関する。
【背景技術】
【０００２】
手提げバッグ、肩掛けバッグ、トートバッグなどのバッグは、被収容物を大量に収容できるなど、使い勝手がよいため、老若男女問わず汎用されている。また、用途に応じたデザインや機能・構造を付加させたバッグも開発されている。
【０００３】
たとえば、特許文献１では、バッグの大きさを変化させることができるトートバッグやバッグの側面部にティッシュを取り出すことができる切れ目部を設けたトートバッグが開示されている。
【０００４】
特許文献２では、開口部付近に可変性変形線条体を備えることで、バッグの開口部から底部まで広げた状態を保持して物品を収納しやすいトートバッグが開示されている。
【０００５】
特許文献３では、幅の狭い側面（まち部）の上部に切り欠き部を設けることで、教科書やノートを識別し容易に取り出すことができるトートバッグが開示されている。
【先行技術文献】
【特許文献】
【０００６】
【特許文献１】実用新案登録第３１１４４９８号公報
【特許文献２】特開２０１４−１６１５５９号公報
【特許文献３】実用新案登録第３２１３１２４号公報
【考案の概要】
【考案が解決しようとする課題】
【０００７】
特許文献１〜３に開示されたトートバッグを含めて従来のバッグは、未使用時（保管時）においては、衣類とは異なり、折り畳んだ上で保管することができない。そのため、相応の保管スペースを必要とする。特に、バッグの保管数や、バッグ自体に多くの機能や構造を追加するのに伴って、この傾向が強くなる。すなわち、従来のバッグには、省スペース性について改善の余地が残されていた。
【０００８】
そこで、本考案者は、鋭意検討の結果、バッグを構成する側面部とまち部などとを着脱可能な結合手段で結合することで、未使用時には省スペース化・持ち運び性を向上させるとともに、使用の際には分解した部材の組み立てが即座にできて迅速に使用に供することができることを見出した。さらには、側面部など構成部材ごとに容易に交換できるため、高いデザイン性およびオリジナル性を発揮することも見出した。
【０００９】
すなわち、本考案は、未使用時には分解・展開できるため省スペース化・持ち運び性に優れ、使用の際には即座に組み立てて使用することができ、構成する部材ごと交換できるためデザイン性、オリジナル性が高いバッグを提供することを目的とするものである。
【課題を解決するための手段】
【００１０】
本考案に係るバッグは、底部と、一対の側面部と、一対のまち部と、一対の持ち手部を有するバッグであって、当該側面部及び当該まち部に着脱可能な結合手段が設けられ、当該結合手段によって、当該側面部と当該まち部とが着脱可能に結合していることを特徴とする。
また、上記バッグにおいて、前記底部および前記まち部とに着脱可能な結合手段が設けられ、当該結合手段によって、前記底部と前記まち部とが着脱可能に結合していることが好ましい。
また、上記バッグにおいて、前記持ち手部および前記側面部とに着脱可能な結合手段が設けられ、当該結合手段によって、前記持ち手部と前記側面部とが着脱可能に結合していることが好ましい。
【考案の効果】
【００１１】
本考案にかかるバッグによれば、未使用時には展開・分解できるため優れた省スペース化・持ち運び性、構成する部材ごと交換できるため高いデザイン性およびオリジナル性を発揮し、使用の際には分解した部材から容易に組み立てることができ、迅速に使用に供することができる。
【図面の簡単な説明】
【００１２】
【図１】図１は、本考案にかかるバッグの一態様を示すための図面である。
【図２】図２（１）は、本考案にかかるバッグにおいて展開・分解した状態および本考案に係るバッグの使用方法を示すための図面である。また、図２（２）は持ち手部と側面部との結合状態を示すための図面である。
【考案を実施するための形態】
【００１３】
以下、本考案にかかるバッグについて、適宜図面を参照しながら詳細に説明する。本考案にかかるバッグは、図１の付番１０に示されるように、底部（図示せず）、２枚の側面部（一対の側面部）１２、２枚のまち部（一対のまち部）１３および２本の持ち手部（一対の持ち手部）１４を必須要件として有する。
なお、「まち部」とは、バッグの奥行となる「まち（襠、Ｇｕｓｓｅｔ）」を形成する部分である。
【００１４】
また、図１の付番１５に示されるように、本考案にかかるバッグは、当該側面部１２および当該まち部１３において、当該側面部１２と当該まち部１３とを着脱可能な結合手段が設けられている。ここで、「着脱可能な結合手段」とは、使用者が当該側面部とまち部等の部材間を任意に結合させたり、結合している当該側面部とまち部等の部材間で外したりする機能を有する結合手段をいい、このような機能を有する限り特に限定されるものではない。
【００１５】
図２は、本考案に係るバッグを展開し、持ち手部を取り外した状態を示す。付番２５に示されるように、結合手段は、側面部２５の周辺部と当該まち部２３の周辺部とにおいて、同じ数だけ設けられており、組み立ての際は、図２の矢印に示されるように対応する結合部材同士が結合し、結果として側面部とまち部とが結合して使用可能なバッグが形成される。
【００１６】
このような結合手段が、側面部とまち部とを着脱可能に結合（連結）しているために、未使用時（保管時）には、結合部材による結合（連結）を外して、たとえば図２（１）に示されるように展開・分解できる。
【００１７】
一方で、使用の際には、側面部に設けられた結合手段と、まち部に設けられた結合手段とを、対応する結合手段同士で、結合（連結）させることによって、即座にバッグを組み立てて使用に供することができる。さらには、各部材（まち部、側面部、持ち手部）が対応する結合手段を有するのであれば、部材ごとに交換することができる。そのため、バッグのデザイン性（意匠性）、オリジナル性を高めることも可能となる。
【００１８】
たとえば、各部材（まち部、側面部、持ち手部）が、色調、材質、模様などで４種類ある場合、まち部のパターン（４×２）と側面部のパターン（４×２）と持ち手部のパターン（４×２）となり、５１２通りというバラエティーが豊富なバッグのデザイン（意匠）が可能となる。
【００１９】
また、本考案に係るバッグにおいては、図２（１）の付番２５ａに例示されるように、底部およびまち部とに着脱可能な結合手段が設けられ、この結合手段によって（この結合手段を介して）、底部とまち部とが着脱可能に結合していることが好ましい。このように構成することにより、底部とまち部とが着脱可能になるため、未使用時における省スペース化・持ち運び性とともに、構成する部材ごとの交換によるデザイン性・オリジナル性も一層向上させることができる。
【００２０】
本考案に係るバッグにおいては、図２（２）の付番２５ｂ、２５ｃに例示されるように、持ち手部および側面部とに着脱可能な結合手段が設けられ、この結合手段によって（この結合手段を介して）、持ち手部と側面部とが着脱可能に結合していることが好ましい。このように構成することにより、側面部と持ち手部が着脱可能になるため、未使用時における省スペース化・持ち運び性とともに、構成する部材ごとの交換によるデザイン性・オリジナル性も一層向上させることができる
【００２１】
また、具体的な結合手段としては、使用用途や収容対象となる物（被収容物）の重量などを考慮して適宜選択されるが、ホック、マジックテープ（登録商標）、ボタンとボタン穴などが挙げられる。中でも、部材の着脱のしやすさ（バッグの分解・展開と使用の際におけるバッグの組み立ての容易性）などの観点からは、上記結合手段は、ホックであることが好ましい。
【００２２】
ホックとしては、手芸用・裁縫用として市販されているものであってよい。具体的には、ジャンパーホック、バネホック、アメリカンホック、マグホック、鍵ホック、ヘリ止めホックなどが挙げられる。
【００２３】
図２は、本考案に係るバッグを展開し、持ち手部を取り外した状態を示す。付番２５に示されるように、結合手段は、側面部２５の周辺部と当該まち部２３の周辺部とにおいて、同じ数だけ設けられており、組み立ての際は、図２の矢印に示されるように対応する結合部材同士が結合し、結果として側面部とまち部とが結合して使用可能なバッグが形成される。
【００２４】
側面部、底部、まち部、持ち手部を含めバッグを構成する部材の材質は、特に限定されるものではないが、合成繊維や天然繊維などで構成された布や、本革、人工皮革、合成皮革などの皮革類などが一般的である。
【産業上の利用可能性】
【００２５】
本考案によれば、未使用時には分解・展開できるため省スペース化・持ち運び性に優れ、使用の際には即座に組み立てて使用することができ、構成する部材ごと交換できるためデザイン性、オリジナル性が高いバッグを提供することができる。
【符号の説明】
【００２６】
１０：本考案にかかるバッグ
１２、２２：側面部
１３、２３：まち部
１４、２４：持ち手部
１５、２５、２５ａ、２５ｂ、２５ｃ：結合手段
【図１】
0003223035.tif 000003
【図２】
0003223035.tif 000004